(57)【要約】【課題】感光性記録媒体を回転自在に収容するカートリッジを、遮光し且つ位置精度よく装填することができる信頼性の高い感光性記録媒体用の記録再生装置、記録再生方法、及び、記録再生システムを提供する。【解決手段】感光性記録媒体用記録再生装置１は、カートリッジ２が装填されたとき、カートリッジ２の支持基準面２８Ａ，２８Ｂ，２８Ｃ，２８Ｄと接触してカートリッジ２を所定の位置に位置決めする基準面６４Ａ，６４Ｂ，６４Ｃ，６４Ｄを備え、基準面６４Ａ，６４Ｂ，６４Ｃ，６４Ｄが、カートリッジ２に形成された複数の支持基準面２８Ａ，２８Ｂ，２８Ｃ，２８Ｄのうち幅が最も小さい支持基準面２８Ａの幅Ｗ１より大きな幅寸法Ｗ２を有し、支持基準面２８Ａ，２８Ｂ，２８Ｃ，２８Ｄが基準面６４Ａ，６４Ｂ，６４Ｃ，６４Ｄに当接してカートリッジ２を位置決めする。【選択図】  図４
2007073118.tif 000002
【特許請求の範囲】
【請求項１】
感光性記録媒体を回転自在に収容すると共に幅寸法の異なる複数の支持基準面が外面に形成されたカートリッジが装填されて前記感光性記録媒体に情報を記録し又は情報を再生する感光性記録媒体用の記録再生装置であって、
前記複数の支持基準面のうち前記幅寸法が最小の支持基準面の該幅寸法より幅寸法が大きく、カートリッジが装填された状態で前記支持基準面に当接するようにそれぞれ配置された複数の基準面を備え、前記基準面に前記カートリッジの前記支持基準面を当接させて前記カートリッジを位置決めすることを特徴とする感光性記録媒体用の記録再生装置。
【請求項２】
前記カートリッジが装填されて位置決めされた状態で、前記基準面の外側端部が前記支持基準面の外側端部より外方に位置することを特徴とする請求項１に記載の感光性記録媒体用の記録再生装置。
【請求項３】
前記感光性記録媒体は、ホログラム記録媒体であることを特徴とする請求項１又は２に記載の感光性記録媒体用の記録再生装置。
【請求項４】
感光性記録媒体を回転自在に収容すると共に幅寸法の異なる複数の支持基準面が外面に形成されたカートリッジが装填されて前記感光性記録媒体に情報を記録し又は情報を再生する感光性記録媒体用の記録再生方法であって、
前記複数の支持基準面のうち前記幅寸法が最小の支持基準面の該幅寸法より幅寸法が大きく、カートリッジが装填された状態で前記支持基準面に当接するようにそれぞれ配置された複数の基準面を備え、前記基準面に前記カートリッジの前記支持基準面を当接させて前記カートリッジを位置決めすることを特徴とする感光性記録媒体用の記録再生方法。
【請求項５】
前記カートリッジが装填されて位置決めされた状態で、前記基準面の外側端部が前記支持基準面の外側端部より外方に位置することを特徴とする請求項４に記載の感光性記録媒体用の記録再生方法。
【請求項６】
前記感光性記録媒体は、ホログラム記録媒体であることを特徴とする請求項４又は５に記載の感光性記録媒体用の記録再生方法。
【請求項７】
感光性記録媒体を回転自在に収容すると共に幅寸法の異なる複数の支持基準面が外面に形成されたカートリッジが装填されて前記感光性記録媒体に情報を記録し又は情報を再生する記録再生システムであって、
前記複数の支持基準面のうち前記幅寸法が最小の支持基準面の該幅寸法より幅寸法が大きく、カートリッジが装填された状態で前記支持基準面に当接するようにそれぞれ配置された複数の基準面を備え、前記基準面に前記カートリッジの前記支持基準面を当接させて前記カートリッジを位置決めすることを特徴とする記録再生システム。
【発明の詳細な説明】
【技術分野】
【０００１】
本発明は、感光性記録媒体用の記録再生装置、方法及びシステムに関し、特に、感光性記録媒体を収容するカートリッジを位置決めするとともに、遮光性の改善を図る技術に関する。
【背景技術】
【０００２】
従来、ディスク状の記録媒体に情報を記録、再生する記録再生装置は、記録媒体が収容されたカートリッジをローディング機構により記録再生装置に装填して情報の記録、再生が行われる。記録媒体に記録されるデータの再現性は、記録再生装置に対するカートリッジの位置決め精度によるところが大きく、重要な管理項目の１つである。このようなカートリッジのローディングについては、光磁気ディスクローディング機構が知られている(例えば、特許文献１参照)。特許文献１の光磁気ディスクローディング機構には、カートリッジを支持するホルダが下降することにより、カートリッジの位置決め穴に浮動シャーシに立設された位置決めピンが嵌合してカートリッジを所定の位置に位置決めするローディング機構が記載されている。
【０００３】
【特許文献１】特開平６−３０２０８２号公報
【発明の開示】
【発明が解決しようとする課題】
【０００４】
データをホログラムにより記録するホログラム記録媒体などにおいては、極めて高密度でデータが記録されるため、記録再生装置に対するカートリッジの位置決め精度は、そのままホログラム記録システムの信頼性に繋がる。また、ホログラム記録媒体は感光性記録媒体であるため、シャッタが開放されてホログラム記録媒体が露呈する記録再生装置内においても遮光する必要がある。しかし、特許文献１記載の光磁気ディスクローディング機構は、位置決め精度については特に記載がなく、また遮光性能に関する事項は全く考慮されていない。
【０００５】
本発明は、上記事情に鑑みてなされたもので、その目的は、感光性記録媒体を回転自在に収容するカートリッジを、遮光し且つ位置精度よく装填することができる信頼性の高い感光性記録媒体用記録再生装置を提供することにある。
【課題を解決するための手段】
【０００６】
本発明の上記目的は、下記感光性記録媒体用記録再生装置によって達成される。
（１）  感光性記録媒体を回転自在に収容すると共に幅寸法の異なる複数の支持基準面が外面に形成されたカートリッジが装填されて前記感光性記録媒体に情報を記録し又は情報を再生する感光性記録媒体用の記録再生装置であって、前記複数の支持基準面のうち前記幅寸法が最小の支持基準面の該幅寸法より幅寸法が大きく、カートリッジが装填された状態で前記支持基準面に当接するようにそれぞれ配置された複数の基準面を備え、前記基準面に前記カートリッジの前記支持基準面を当接させて前記カートリッジを位置決めすることを特徴とする感光性記録媒体用の記録再生装置。
【０００７】
上記構成の記録再生装置によれば、記録再生装置に設けられた基準面が、カートリッジに設けられた複数の支持基準面の内の幅が最も狭い支持基準面より大きな幅寸法を有するので、支持基準面の幅が狭くても基準面から外れたり、ズレたりすることがなく、確実に基準面に当接してカートリッジを高精度で位置決めすることができる。また、基準面と支持基準面とにズレが生じて、接触面積が少なくなることによる遮光性の低下が防止できる。更に、両面記録可能な感光性記録媒体を収容するカートリッジの場合、表裏どちらの面を上に向けて記録再生装置に装填しても、カートリッジの支持基準面は確実に基準面に当接して高精度で位置決めされる。
【０００８】
（２）  前記カートリッジが装填されて位置決めされた状態で、前記基準面の外側端部が前記支持基準面の外側端部より外方に位置することを特徴とする上記（１）に記載の感光性記録媒体用の記録再生装置。
【０００９】
上記構成の記録再生装置によれば、カートリッジは、基準面の外側端部が、支持基準面の外側端部より外方に位置するように記録再生装置に装填されるので、基準面より下方で反射された反射光を支持基準面から外方に突出する基準面の突出部分により遮光して、基準面と支持基準面との接触部からの光の漏れを阻止して遮光性能を向上させることができる。
【００１０】
（３）  前記感光性記録媒体は、ホログラム記録媒体であることを特徴とする上記（１）または（２）に記載の感光性記録媒体用の記録再生装置。
【００１１】
上記構成の記録再生装置によれば、ホログラム記録媒体を収容するカートリッジを位置精度よく感光性記録媒体用記録再生装置に装填することができ、これにより、ホログラム記録媒体へのデータの記録、再生の信頼性を高めることができる。
【００１２】
（４）  感光性記録媒体を回転自在に収容すると共に幅寸法の異なる複数の支持基準面が外面に形成されたカートリッジが装填されて前記感光性記録媒体に情報を記録し又は情報を再生する感光性記録媒体用の記録再生方法であって、前記複数の支持基準面のうち前記幅寸法が最小の支持基準面の該幅寸法より幅寸法が大きく、カートリッジが装填された状態で前記支持基準面に当接するようにそれぞれ配置された複数の基準面を備え、前記基準面に前記カートリッジの前記支持基準面を当接させて前記カートリッジを位置決めすることを特徴とする感光性記録媒体用の記録再生方法。
【００１３】
上記の記録再生方法によれば、カートリッジを記録再生装置に装填した状態で、支持基準面の幅が狭くても基準面から外れたり、ズレたりすることがなく、確実に位置決めすることができる。また、基準面と支持基準面とにズレが生じて、接触面積が少なくなることによる遮光性の低下が防止できる。更に、両面記録可能な感光性記録媒体を収容するカートリッジの場合、表裏どちらの面を上に向けて記録再生装置に装填しても、カートリッジの支持基準面は確実に基準面に当接して高精度で位置決めされる。
【００１４】
（５）  前記カートリッジが装填されて位置決めされた状態で、前記基準面の外側端部が前記支持基準面の外側端部より外方に位置することを特徴とする上記（４）に記載の感光性記録媒体用の記録再生方法。
【００１５】
上記構成の感光性記録媒体用の記録再生方法によれば、カートリッジを記録再生装置に装填した際に、基準面と支持基準面との接触部からの光の漏れを阻止して遮光性能を向上できる。
【００１６】
（６）  前記感光性記録媒体は、ホログラム記録媒体であることを特徴とする上記（４）又は（５）に記載の感光性記録媒体用の記録再生方法。
【００１７】
上記構成の記録再生方法によれば、ホログラム記録媒体を収容するカートリッジを位置精度よく記録再生装置に装填することができ、これにより、ホログラム記録媒体へのデータの記録、再生の信頼性を高めることができる。
【００１８】
（７）  感光性記録媒体を回転自在に収容すると共に幅寸法の異なる複数の支持基準面が外面に形成されたカートリッジが装填されて前記感光性記録媒体に情報を記録し又は情報を再生する記録再生システムであって、前記複数の支持基準面のうち前記幅寸法が最小の支持基準面の該幅寸法より幅寸法が大きく、カートリッジが装填された状態で前記支持基準面に当接するようにそれぞれ配置された複数の基準面を備え、前記基準面に前記カートリッジの前記支持基準面を当接させて前記カートリッジを位置決めすることを特徴とする記録再生システム。
【００１９】
上記構成の記録再生システムは、カートリッジに設けられた複数の支持基準面のうちの幅が最も小さい支持基準面より大きな幅寸法となる基準面を有している。このため、支持基準面の幅が狭くても基準面から外れたり、ズレたりすることがなく、確実に基準面に当接させてカートリッジを高精度で位置決めすることができる。また、基準面と支持基準面とにズレが生じて、接触面積が少なくなることによる遮光性の低下が防止できる。更に、両面記録可能な感光性記録媒体を収容するカートリッジの場合、表裏どちらの面を上に向けて位置決めする場合であっても、カートリッジの支持基準面は確実に基準面に当接させつつ高精度で位置決めできる。
【発明の効果】
【００２０】
本発明によれば、感光性記録媒体を回転自在に収容するカートリッジを、遮光し且つ位置精度よく装填することができる信頼性の高い感光性記録媒体用の記録再生装置、記録再生方法、及び、記録再生システムを提供できる。
【発明を実施するための最良の形態】
【００２１】
以下、本発明の実施形態を図面に基づいて詳しく説明する。
図１は、本発明に係る記録再生システムの一例を示しており、ホログラム記録媒体を収容するカートリッジが記録再生装置に装填される状態を示す斜視図である。図２は、カートリッジの外観斜視図である。図３は、記録再生装置のベースフレームの斜視図である。図４は、記録再生装置の基準面とカートリッジの支持基準面との位置関係を示す概略平面図である。図５は、一方の面が上に向けられて記録再生装置に装填されたカートリッジの支持基準面が基準面に当接した状態を示す側面図である。図６は、他方の面が上に向けられて記録再生装置に装填されたカートリッジの支持基準面が基準面に当接した状態を示す側面図である。
【００２２】
図１に示すように、データをホログラムで記録するホログラム記録媒体（以下、記録ディスクと称する）は、遮光された感光性記録媒体用カートリッジ（以下、カートリッジと省略する）２に回転自在に収容されている。このようなカートリッジ２は、記録再生装置であるホログラム記録装置１にディスク挿入口１０から矢印Ｃ方向に装填されてデータの記録、再生が行われる。
【００２３】
図２に示すように、カートリッジ２のディスク収容部３内に回転自在に収容される記録ディスク４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。カートリッジ２は、記録ディスク４の両面の記録面に記録を行なうために、Ａ面２ａまたはＢ面２ｂのいずれかを上にしてホログラム記録装置１にセットされる。
【００２４】
カートリッジ２は、ディスク収容部３が設けられたカートリッジ本体１１と、このカートリッジ本体１１の外側を挟み込むようにして取り付けられる遮光板１２と、カートリッジ本体１１と遮光板１２との間に組み込まれるシャッタ１３とを備えている。遮光板１２の上下面には、略長方形の外部開口１４、１５が形成されている。これらの外部開口１４,１５は、シャッタ１３により開閉される。
【００２５】
即ち、シャッタ１３が矢印Ｄ方向の開き位置に向けて移動すると、外部開口１４,１５とともに、外部開口１４,１５に対面するようにカートリッジ本体１１に設けられている同形状の開口１８,１９が開放される。これにより、ディスク収容部３内に収容されている記録ディスク４の中心部と、記録面とが外部に露呈される。
【００２６】
カートリッジ本体１１は、略板状の第１シェル２５と、この第１シェル２５に接合される第２シェル２６とから構成されている。第１シェル２５と第２シェル２６は、例えば、遮光性物質と滑剤とが添加された同一または類似の熱可塑性プラスチックを用いて、射出成形により形成されている。
【００２７】
第１シェル２５と第２シェル２６を重ね合わせて固着することにより、その内部には複数の遮光壁がラビリンス状に組み合わされた側壁と、第１シェル２５及び第２シェル２６の内面とにより画成されて遮光されたディスク収容部３が形成される。ディスク収容部３には、記録ディスク４が回転自在に収容されている。
【００２８】
第１シェル２５及び第２シェル２６の外面には、遮光板１２の形状より僅かに大きく、且つ遮光板１２の厚み以上の深さで内側にオフセットされた遮光板取付面２５ａ,２６ａが形成されている。また、遮光板取付面２５ａ,２６ａの内側に、シャッタ部材５５の厚み以上の深さで内側にオフセットさせたシャッタ摺動面２５ｂ,２６ｂが形成されている。
【００２９】
第１シェル２５及び第２シェル２６の外面の四隅には、支持基準面２８Ａ、２８Ｂ、２８Ｃ、２８Ｄが形成されている。支持基準面２８Ａ、２８Ｂ、２８Ｃ、２８Ｄは、カートリッジ２がホログラム記録装置１に装填されたとき、後述するホログラム記録装置１の基準面６４Ａ，６４Ｂ，６４Ｃ，６４Ｄに当接してカートリッジ２を位置決めする。支持基準面２８Ａ、２８Ｂ、２８Ｃ、２８Ｄは、位置精度および面精度が高精度に形成されており、カートリッジ２がホログラム記録装置１に装填されたとき、カートリッジ２を所定の位置に精度よく位置決めする。
【００３０】
支持基準面２８Ａ、２８Ｂ、２８Ｃ、２８Ｄは、第１シェル２５及び第２シェル２６の外面と同一面に、位置精度や面精度が高い精度で形成された領域のことである。支持基準面２８Ａ、２８Ｂ、２８Ｃ、２８Ｄは、第１シェル２５及び第２シェル２６の外面から僅かに突出させて形成してもよい。尚、支持基準面２８Ａ、２８Ｂ、２８Ｃ、２８Ｄの形成時に高精度とするのは、位置精度や面精度に限定されず、カートリッジ２の位置決め精度に関係する項目は高精度とされる。また、カートリッジ２の挿入方向前方、且つシャッタ開き方向の隅部に形成される支持基準面２８Ａは、シャッタ１３の移動距離を確保するために幅Ｗ１を広く取ることができず、例えば、１ｍｍ程度の幅となっている。
【００３１】
遮光板１２は、アルミニウム合金の薄板に外部開口１４,１５と、シャッタ１３の移動範囲を得るための切欠４０とを形成し、断面が略コ字形状となるように屈曲させたものである。遮光板１２は、カートリッジ本体１１のＢ面２ｂ及びＡ面２ａを挟み込み、かつカートリッジ本体１１の装填方向Ｃの先端を覆うようにして、カートリッジ本体１１の遮光板取付面２５ａ,２６ａに取り付けられる。
【００３２】
シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、カートリッジ本体１１のＢ面２ｂ及びＡ面２ａを挟み込み、かつカートリッジ本体１１の装填方向Ｃの先端を覆うようにして、カートリッジ本体１１のシャッタ摺動面２５ｂ,２６ｂに取り付けられる。
【００３３】
スライド部材５６は、第１シェル２５と第２シェル２６との間にスライド自在に組み込まれ、その一端はシャッタ部材５５に固着されている。スライド部材５６の端部には、シャッタ１３を開く際に操作される係止部５６ｄが突出して形成されている。シャッタ１３は、その両端がスライド部材５６と第１シェル２５の内面とに係止されている捩じりコイルバネなどのシャッタバネ（図示せず）により開口１８，１９を閉じる方向に付勢されている。
【００３４】
図３に示すように、ホログラム記録装置１の構成部材であるベースフレーム６０には、記録ディスク４を回転させるスピンドルモータ６１や、キャリッジ６２に固着された光ピックアップ６３、などが配設されている。キャリッジ６２は、コイル６５およびヨーク６６からなるリニアモータにより駆動されて光ピックアップ６３を移動させる。ベースフレーム６０には、カートリッジ２の支持基準面２８Ａ、２８Ｂ、２８Ｃ、２８Ｄにそれぞれ対応して基準面６４Ａ，６４Ｂ，６４Ｃ，６４Ｄが形成されている。基準面６４Ａ，６４Ｂ，６４Ｃ，６４Ｄの幅Ｗ２は、カートリッジ２の支持基準面２８Ａ、２８Ｂ、２８Ｃ、２８Ｄの内、幅が最も狭い支持基準面２８Ａの幅Ｗ１よりも大きく、例えば、５ｍｍ程度に設定されている。
【００３５】
次に、このようなカートリッジ２がホログラム記録装置１に装填されたときの基準面６４Ａ，６４Ｂ，６４Ｃ，６４Ｄと支持基準面２８Ａ、２８Ｂ、２８Ｃ、２８Ｄとの位置関係について、図４から図６に基づいて説明する。
【００３６】
図４および図５に示すように、カートリッジ２がＡ面２ａを上に向けてホログラム記録装置１に装填されると、カートリッジ２の支持基準面２８Ａ、２８Ｂ、２８Ｃ、２８Ｄは、ホログラム記録装置１の基準面６４Ａ，６４Ｂ，６４Ｃ，６４Ｄに、それぞれ当接して載置される。このとき、基準面６４Ａ，６４Ｂ，６４Ｃ，６４Ｄの幅Ｗ２は、最小幅の支持基準面２８Ａの幅Ｗ１よりも大きいので、支持基準面２８Ａは基準面６４Ａのエリア内に含まれる。従って、支持基準面２８Ａは、基準面６４Ａからズレたり、外れたりすることなく接触するので、精度よくカートリッジ２を位置決めすることができる。
【００３７】
また、支持基準面２８Ａと基準面６４Ａとの間に隙間があると、該隙間から散乱光が進入し易いが、支持基準面２８Ａの全面が基準面６４Ａに接触しているので、散乱光の進入が防止される。
【００３８】
更に、基準面６４Ａ，６４Ｂ，６４Ｃ，６４Ｄのそれぞれの外側端部６４ａは、支持基準面２８Ａ、２８Ｂ、２８Ｃ、２８Ｄの外側端部２８ａよりも外側に位置している。従って、支持基準面２８Ａ、２８Ｂ、２８Ｃ、２８Ｄより外方に突出する基準面６４Ａ，６４Ｂ，６４Ｃ，６４Ｄの突出部分により、下方からの反射光が遮光され、支持基準面２８Ａ、２８Ｂ、２８Ｃ、２８Ｄと基準面６４Ａ，６４Ｂ，６４Ｃ，６４Ｄとの隙間から入り込む反射光は大幅に削減される。
【００３９】
図６に示すように、カートリッジ２が裏返され、Ｂ面２ｂを上に向けてホログラム記録装置１に装填されると、カートリッジ２の支持基準面２８Ａ、２８Ｃはそれぞれホログラム記録装置１の基準面６４Ｃ、６４Ａに、また支持基準面２８Ｂ、２８Ｄはそれぞれホログラム記録装置１の基準面６４Ｄ、６４Ｂに当接する。このときも、基準面６４Ｃの幅Ｗ２は、支持基準面２８Ａの幅Ｗ１よりも大きいので、支持基準面２８Ａは基準面６４Ｃから外れたり、ズレたりすることなく、全面が接触してカートリッジ２が精度よく位置決めされると共に、遮光される。
【００４０】
なお、本発明に係る記録再生システムは、前述した実施形態に限定されるものではなく、適宜な変形、改良などが可能である。カートリッジの支持基準面のいずれの幅寸法よりも大きい幅寸法の基準面を有する構成であれば、他の構成の記録再生装置を備えていてもよい。
【図面の簡単な説明】
【００４１】
【図１】ホログラム記録媒体を収容するカートリッジが記録再生装置に装填される状態を示す斜視図である。
【図２】カートリッジの外観斜視図である。
【図３】記録再生装置のベースフレームの斜視図である。
【図４】記録再生装置の基準面とカートリッジの支持基準面との位置関係を示す概略平面図である。
【図５】一方の面が上に向けられて記録再生装置に装填されたカートリッジの支持基準面が基準面に当接した状態を示す側面図である。
【図６】他方の面が上に向けられて記録再生装置に装填されたカートリッジの支持基準面が基準面に当接した状態を示す側面図である。
【符号の説明】
【００４２】
１         ホログラム記録装置（感光性記録媒体用記録再生装置）
２         カートリッジ（感光性記録媒体用カートリッジ）
４         記録ディスク（感光性記録媒体、ホログラム記録媒体）
２８Ａ     支持基準面
２８Ｂ     支持基準面
２８Ｃ     支持基準面
２８Ｄ     支持基準面
２８ａ     支持基準面の外側端部
６４Ａ     基準面
６４Ｂ     基準面
６４Ｃ     基準面
６４Ｄ     基準面
６４ａ     基準面の外側端部
Ｗ１       支持基準面の幅
Ｗ２       基準面の幅
【図１】
2007073118.tif 000003
【図２】
2007073118.tif 000004
【図３】
2007073118.tif 000005
【図４】
2007073118.tif 000006
【図５】
2007073118.tif 000007
【図６】
2007073118.tif 000008